(57)【特許請求の範囲】
【請求項１】
患者用ベッドのパーテーション手段として剛性を有し且つ半透光性を有する合成樹脂製パーテーションパネルを用い、該パーテーションパネルを患者用ベッドの左側方と右側方と足方向とに個別に配し、該各パーテーションパネルを吊り紐を介してベッド部屋の天井下へ個別に吊り下げ、該吊り下げにより天井と各パーテーションパネル間に開口を形成し、該各パーテーションパネルの吊り紐を天井又は天井直下に配設したパネル昇降手段にて巻取り上記パーテーションパネルを上記開口内へ個別に上昇せしめる構成とし、上記各パーテーションパネルは上記剛性により上記吊り下げによる垂設状態を保ちながら吊り紐を変位させつつ個別に内外へ変位させることが可能であり、更に各パーテーションパネルの下縁から遮光性を有し且つ同パネルの内外へ変位可能なスカートを垂設したことを特徴とする医療福祉施設における患者用ベッドのパーテーション構造。
【発明の詳細な説明】
【技術分野】
【０００１】
本発明は病院、介護施設等の医療福祉施設における患者用ベッド（同施設における介護用ベッドを含む）のパーテーション構造に関する。
【背景技術】
【０００２】
図１に示すように、上記医療福祉施設における大部屋には比較的狭い面積に４台乃至８台の患者用ベッド２が設置されており、該各患者用ベッド２のパーテーション手段として、通常布製カーテン１が用いられている。
【０００３】
図１においては、大部屋内に６台の患者用ベッド２を設置した場合を示し、４は該大部屋の入口、４′は該大部屋の窓を示している。
【０００４】
上記従来のパーテーション手段として設けられた布製カーテン１は各患者用ベッド２の周りをコ字形又はＬ字形に仕切るように、部屋の天井又は天井直下に配設したカーテンレールから吊り下げ、該カーテンレールの案内により布製カーテン１を横引きして開閉する構造となっている。
【発明の開示】
【発明が解決しようとする課題】
【０００５】
布製カーテン１は他からの視界を遮る目隠し目的で設置されるものであるが、上記布製カーテン１で囲まれたベッド２上の空間は採光性と通風性に欠け、閉塞感が強く、決して好ましい入院環境にあるとは言い難い。
【０００６】
又看護人（看護士や介護士）や医師の介護作業又は医療作業時には、布製カーテン１が身体にまとわりつく、医療器具の操作に邪魔になる等、作業に支障を来すため、布製カーテン１を必要以上に横引きしてベッド周りを大きく開放して作業を行っている現状にあり、これにより患者のプライバシーを損なう問題を派生する。
【０００７】
特にベッド部屋３の入口４側の入隅壁５に面して設置された患者用ベッド２は、該入隅壁５とＬ字形の横引きカーテン１で囲まれ、更なる環境悪化を醸成している。
【０００８】
医療福祉施設における患者用ベッド２のパーテーション手段は、患者のプライバシーを保護する目隠し目的と同時に、採光性と通風性と開放感を確保して快適な入院環境を提供できる構造であることが求められる。同時に看護人等による介護作業の便に資する構造のものであることが要請される。
【０００９】
本発明はこれら課題に適切に応えることができる医療福祉施設における患者用ベッド２のパーテーション構造を提供するものである。
【課題を解決するための手段】
【００１０】
本発明は患者用ベッドのパーテーション手段として半透光性を有する合成樹脂製パーテーションパネルを用い、該合成樹脂製パーテーションパネルの半透光性によりベッド上空間への採光性を得ながら目隠し目的を達成する。
【００１１】
そして上記パーテーションパネルを患者用ベッドの左側方と右側方と足方向とに個別に配してベッド部屋の天井下に吊り紐を介して個別に吊り下げ、該吊り紐により上記各パーテーションパネルと天井との間に上部開口を形成し、該開口を通風と採光に資する。
【００１２】
又上記パーテーション構造はパーテーションパネル全体を、その剛性により吊り紐を変位させながら外方へ押し退けることが可能であり、これにより同パネルによる目隠し目的を達成しながら、看護人や医師がベッドとパーテーションパネル間に介入し実行する看護作業の便に資する。
【００１３】
上記パーテーションパネルは吊り紐の上端を天井又は天井直下に配設したパネル昇降手段によって巻取り又は巻取り解除して上記開口の許容する範囲において昇降せしめる。該パネルの昇降量を調整して目隠しに適した位置に垂下することができると共に、該パネルの上昇によってベッドとパネル間への看護人の介入を容易にする。
【００１４】
上記パーテーションパネルを用いる場合に、該パネルの下縁から同パネルの内外へ変位可能なスカートを垂設する構造を採ることができる。該内外へ変位可能なスカートとしては布製シート、合成樹脂製シート等を用いる。看護人等は該スカートを身体で外方へ押し退けながらベッドとパーテーションパネル間に介入し看護作業等が行える。
【００１５】
上記パーテーションパネルとしては樹脂製単葉パネルの他、内パネルと外パネル間を多数の芯材で仕切り、該芯材間に空洞を形成した樹脂製複合パネルを用いる。又上記スカートとして好ましくは、遮光性を有する上記材質から成るシートを用いる。
【発明の効果】
【００１６】
本発明によれば、医療福祉施設における患者用ベッド上の患者のプライバシーを保護する目隠し目的を有効に達成しながら、採光性と通風性と開放感を確保して快適な入院環境を提供できる。
【００１７】
加えて上記目隠し目的を達成しながら、看護人による看護作業の便に資することができる。
【発明を実施するための最良の形態】
【００１８】
以下発明を実施するための最良の形態を図２乃至図８に基づき説明する。
【００１９】
本発明は医療福祉施設における患者用ベッドのパーテーション手段として、従来の目隠し用の横引きカーテンを排し、半透光性の合成樹脂製パーテーションパネル６を用い、該パネル６を上げ下げする構造にして、所期の目的を達成するパーテーション構造を提供するものである。
【００２０】
図２は図１と同様、医療福祉施設における大部屋に多数のベッド２を設置した場合を示し、該ベッド配置において上記半透光性の合成樹脂製パーテーションパネル６を用いた例を示している。
【００２１】
上記半透光性合成樹脂製パーテーションパネル６は、患者用ベッド２の左側方と右側方と足方向とに個別に配し、その半透光性によりベッド２上空間への窓４′からの採光性を得ながら目隠し目的を達成する。
【００２２】
上記パーテーションパネル６としては半透光性の合成樹脂製単葉パネルの他、図６，図７に示すように、内パネル７と外パネル８間を縦方向又は／及び横方向の多数の芯材９で仕切り、該芯材９間に多数の空洞１０を形成した合成樹脂製複合パネル６を用いる。
【００２３】
上記半透光性とは光を透過する作用を有しながら、外部からの視界を遮る（接近すると影は映る）作用を有することを意味し、該半透光性パーテーションパネル６としては乳白色のパネルが適している。又は青色や緑色、ベージュ色等に着色した上記作用を有する有色パネルが用いられる。
【００２４】
又は他例として、透明なパネル本体の表面に半透光性の合成樹脂製フィルムを貼付し、半透光性にしたパーテーションパネル６を用いることができる。
【００２５】
上記パーテーションパネル６を吊り紐１２を介しベッド部屋３の天井１１下に吊り下げ、該吊り紐１２により上記パーテーションパネル６と天井１１との間に上部開口１３を形成し、該開口１３を通風と採光に資する。
【００２６】
上記吊り紐１２としては合成樹脂製吊り紐、布製吊り紐、金属製吊り紐、これらの合成吊り紐を適用でき、巻取り可能な撓み性を有するものであれば材質は問わない。
【００２７】
上記半透光性パーテーションパネル６は強制的に反り曲げ可能であるが、吊り下げ状態で外部から加わる横方向の力に対し剛性を有し、図３，図４Ｃ，図５Ｃに示すように、パネル全体をその剛性により吊り紐１２を変位させながら外方へ押し退けることが可能である。即ち垂設状態を保ちながらパネル全体を内外へ変位させることが可能である。
【００２８】
従って同パネル６は目隠し目的を達成しながら、看護人や医師がパーテーションパネル６全体を外方へ変位して（外方へ押し退けながら）ベッド２とパーテーションパネル６間に介入し行う看護作業等の便に供することができる。
【００２９】
上記パーテーションパネル６は吊り紐１２の上端を天井１１又は天井直下に配設したパネル昇降手段１４によって巻取り又は巻取り解除して上記開口１３の許容する範囲において昇降せしめる構造にする。
【００３０】
図４Ｂ，図５Ｂに示すように、上記昇降手段１４により吊り紐１２を巻取り、パネル６を開口１３内へベッド上面２′から上方へ所要量上昇せしめることによってベッド２とパネル６間への看護人の介入を容易にすると同時に、図４Ａ，図５Ａに示すように、パネル６の昇降量を調整して目隠しに適した位置にパーテーションパネル６、又は後記する同パネル６とスカート１５を垂下し目隠し目的を達成しながら看護人等の介入もより容易にすることができる。
【００３１】
上記パネル昇降手段１４はベッド部屋３の天井１１に沿って横設するか、天井直下に配した横設バーに横設する。
【００３２】
上記パネル昇降手段１４の例として、吊り紐１２の巻取り手段を有する既知の巻取り手段を適用することができる。例えば該巻取り手段として吊り紐１２を巻取る巻取り軸１６を有し、該巻取り軸１６の端部に歯車１７を一体に設け、該歯車１７にエンドレスの巻取り操作紐１８を噛み合わせてパーテーションパネル６の側縁に沿い垂下し、該エンドレスの巻取り操作紐１８を一方向に牽引して歯車１７を一方向に回転することにより、巻取り軸１６を一方向に回転して吊り紐１２を巻取り、上記パーテーションパネル６を開口１３内へ上昇せしめる。
【００３３】
逆に上記エンドレスの巻取り操作紐１８を他方向に牽引して歯車１７を他方向に回転することにより、巻取り軸１６を他方向に回転して吊り紐１２の巻取りを解除し、上記パーテーションパネル６を目隠し位置へ下降し、天井１１とパーテーションパネル６との間に上記開口１３を形成する。
【００３４】
実施例として図５に示すように、上記パーテーションパネル６を用いつつ、該パネル６の下縁から同パネル６の内外へ変位可能なスカート１５を垂設する構造を採ることができる。該内外へ変位可能なスカート１５としては布製シート、合成樹脂製シート等を用いる。
【００３５】
適例として、上記スカート１５は遮光性（遮蔽性）を有する上記シートを用い、ベッド２上の患者の視線を遮るようにする。
【００３６】
上記スカート１５をパーテーションパネル６の下縁に取り付ける手段の具体例として、図８に示すように、パーテーションパネル６の下縁とスカート１５の上縁間をマジックテープ（商標）２０を以って着脱可に添着する。又は接着テープ２０を以って貼着する。例えば接着テープ２０として常粘性接着テープを用いてスカート１５を着脱可に貼着する。
【００３７】
又はパーテーションパネル６の下縁とスカート１５の上縁に掛け止め具を設け、該掛け止め具を介してスカート１５をパーテーションパネル６に係脱可に付設する。
【００３８】
上記スカート１５をベッド２の上面２′の側方へ垂設することにより、看護人等は該スカート１５を身体で外方へ押し退けながらベッド２とパーテーションパネル６間に入り看護作業をより容易に行える。
【００３９】
本発明によれば、患者のプライバシーを保護する目隠し目的を適切に達成しながら、パネル６の採光性と上部開口１３により開放感を確保し、更に開口１３により通風性を確保して快適な入院環境を提供でき、加えて上記パーテーションパネル６の上げ下げとパネル内外へ変位できる作用により、上記目隠し目的を達成しながら、看護人による看護作業の便に資することができる。
【００４０】
よって従来の横引きカーテンを過度にオープンにしてプライバシーを阻害する問題と、患者にとって安息感のないベッド環境を有効に改善し、介護効果、治療効果を向上することができるものである。
【００４１】
特にベッド部屋３の入口４側の入隅壁５に面して設置された患者用ベッド２の環境の改善に有効である。
【００４２】
図２，図３に示すように、上記半透光性のパーテーションパネル６は患者用ベッド２の長手方向（患者の左側方と右側方）と短手方向（患者の足方向）に個別に配設する。入隅壁に面して配された患者用ベッド２の一側方（入隅壁側方）にはパーテーションパネル６を省約できる。患者用ベッド２の長手方向には一枚のパーテーションパネル６を配するか、又は複数枚のパーテーションパネル６を一平面上に配する。
再述すると、患者用ベッド２のパーテーション手段として剛性を有し且つ半透光性を有する合成樹脂製パーテーションパネル６を用い、該パーテーションパネル６を患者用ベッド２の左側方と右側方と足方向とに個別に配し、該各パーテーションパネル６を吊り紐１２を介してベッド部屋３の天井１１下へ個別に吊り下げ、該吊り下げにより天井１１と各パーテーションパネル６間に開口１３を形成し、該各パーテーションパネル６の吊り紐１２を天井１１又は天井１１直下に配設したパネル昇降手段にて巻取り、上記パーテーションパネル６を上記開口１３内へ個別に上昇せしめる構成とし、上記各パーテーションパネル６は上記剛性により上記吊り下げによる垂設状態を保ちながら吊り紐１２を変位させつつ個別に内外へ変位させることが可能であり、更に各パーテーションパネル６の下縁から遮光性を有し且つ同パネルの内外へ変位可能なスカート１５を垂設し、前記した患者の介護目的が適正に達成できるようにする。
【００４３】
上記合成樹脂製のパーテーションパネル６はカーテンと異なって一定の剛性を有し、同剛性を有する内外表面を有し、該ベッド２と対面する内表面に家族の写真や風景写真１９を貼付し、ベッド上の患者のより良い環境改善に資することができる。
【図面の簡単な説明】
【００４４】
【図１】従来の医療福祉施設における患者用ベッドのパーテーション構造として、パーテーションカーテンを用いた例を示す平面図。
【図２】本発明に係る半透光性のパーテーションパネルを用いて上記医療福祉施設における患者用ベッドのパーテーション構造を形成した例を示す平面図。
【図３】上記半透光性パーテーションパネルの患者用ベッドに対する変位状態を説明する平面図。
【図４】Ａは吊り紐の巻出しにより上記半透光性パーテーションパネルを下降し上部開口を形成した状態を示す正面図、Ｂは吊り紐の巻取りにより上記半透光性パーテーションパネルを上記上部開口内へ上昇した状態を示す正面図、Ｃは吊り紐を変位させながら上記半透光性パーテーションパネルを外方へ変位した状態を説明する側面図。
【図５】Ａ，Ｂ，Ｃは半透光性パーテーションパネルの下縁にスカートを垂設した例を示す図であり、Ａは吊り紐の巻出しにより上記スカート付き半透光性パーテーションパネルを下降し上部開口を形成した状態を示す正面図、Ｂは上記吊り紐の巻取りにより上記スカート付き半透光性パーテーションパネルを上記上部開口内へ上昇した状態を示す正面図、Ｃは吊り紐を変位させながら上記スカート付き半透光性パーテーションパネルを外方へ変位した状態を説明する側面図。
【図６】上記半透光性パーテーションパネルを合成樹脂製複合パネルにて形成した状態を示す断面図。
【図７】同正面図。
【図８】上記半透光性パーテーションパネルにスカートを着脱可に取り付けた例を示す拡大断面図。
【符号の説明】
【００４５】
２…患者用ベッド、２′…ベッド上面、３…ベッド部屋、４…入口、４′…窓、５…入隅部、６…パーテーションパネル、７…内パネル、８…外パネル、９…芯材、１０…空洞、１１…天井、１２…吊り紐、１３…上部開口、１４…パネル昇降手段、１５…スカート、１６…巻取り軸、１７…歯車、１８…巻取り操作手段、１９…写真、２０…マジックテープ又は接着テープ。
【図１】
0004648421.tif 000002
【図２】
0004648421.tif 000003
【図３】
0004648421.tif 000004
【図４】
0004648421.tif 000005
【図５】
0004648421.tif 000006
【図６】
0004648421.tif 000007
【図７】
0004648421.tif 000008
【図８】
0004648421.tif 000009